(57)【要約】【課題】  ダウンストリームにおける伝送品質の劣化に対し、光送信装置側において、より適切に対応することができる光伝送システムを提供する。【解決手段】  光信号を電気信号に変換する受光手段２１と、光信号の信号強度を検出する信号強度検出手段２５と、信号強度情報を含む第１制御信号Ｃ１を生成し出力する制御信号出力手段２６と、を備えた光受信装置２０の１または複数と、光信号を生成する発光素子１１と、光信号を受け付けた光受信装置２０から第１制御信号Ｃ１を受け付ける信号強度情報取得手段１２と、発光素子１１の温度を検出し、温度情報ＲＴＥＭＰを含む第２制御信号を生成する温度検出手段１３と、電流制御信号に基づき、発光素子１１を電流制御して光信号の強度を制御する駆動手段と、信号強度情報ＲＢＩＡＳ、ＲＭＯＤと温度情報ＲＴＥＭＰに基づいて、電流制御信号を生成する制御手段１２、１５と、を備えた光送信装置１０と、を備える。【選択図】        図１
2009141448.tif 000002
【特許請求の範囲】
【請求項１】
光信号を電気信号に変換する受光手段と、前記電気信号に基づいて前記光信号の信号強度を検出する信号強度検出手段と、前記信号強度検出手段が検出した前記光信号の信号強度を示す信号強度情報を含む第１制御信号を生成し出力する制御信号出力手段と、を備えた光受信装置の１または複数と、
前記光信号を生成する発光素子と、前記光信号を受け付けた前記光受信装置から前記第１制御信号を受け付ける信号強度情報取得手段と、前記発光素子の温度を検出し、前記発光素子の温度を示す温度情報を含む第２制御信号を生成する温度検出手段と、所定の電流制御信号に基づき、前記発光素子を電流制御して前記光信号の強度を制御する駆動手段と、前記第１制御信号の前記信号強度情報と前記第２制御信号の前記温度情報に基づいて、前記電流制御信号を生成する制御手段と、を備えた光送信装置と、を備えることを特徴とする光伝送システム。
【請求項２】
前記信号強度検出手段が、前記電気信号の電圧レベルを、前記受光手段が受信可能な前記光信号の信号強度以上の所定の信号強度を示す強度判定値と比較する比較回路を備え、
前記制御信号出力手段が、前記比較回路において前記電圧レベルが所定期間以上継続して前記強度判定値を超えたことが検出された場合に加算するカウンタを備え、前記カウンタの値が所定の第１判定値を超えた場合に、前記第１制御信号を出力することを特徴とする請求項１に記載の光伝送システム。
【請求項３】
前記光受信装置が、外部入力された前記第１判定値またはその相当値を受け付ける外部入力手段を備え、
前記制御信号出力手段が、外部入力された前記第１判定値またはその相当値に基づいて、前記第１判定値を再設定することを特徴とする請求項２に記載の光伝送システム。
【請求項４】
前記信号強度検出手段が、前記電気信号の電圧レベルを積分する積分回路を備え、
前記制御信号出力手段が、前記積分回路の値が、所定の第２判定値を超えた場合に、前記第１制御信号を出力することを特徴とする請求項１に記載の光伝送システム。
【請求項５】
前記光受信装置が、外部入力された前記第２判定値またはその相当値を受け付ける外部入力手段を備え、
前記制御信号出力手段が、外部入力された前記第２判定値またはその相当値に基づいて、前記第２判定値を再設定することを特徴とする請求項４に記載の光伝送システム。
【請求項６】
前記制御信号出力手段が、光信号に前記第１制御信号を多重化して、前記光送信装置に出力することを特徴とする請求項１〜５の何れか１項に記載の光伝送システム。
【請求項７】
前記電流制御信号が、前記発光素子が前記光信号を出力するための最小電流を規定する閾値電流の値に基づいて規定されるバイアス電流の値を設定するためのバイアス電流情報と、前記発光素子の光信号を変調する変調電流の値を設定するための変調電流情報を含んで構成され、
前記光送信装置の前記制御手段が、
前記バイアス電流情報を０に設定し、前記変調電流情報を増加方向に変化させたときの前記第１制御信号の出力タイミングにおける前記変調電流値またはその相当値をバイアス電流指標として求めるバイアス電流指標算出処理と、
前記バイアス電流情報を前記バイアス電流指標に基づいて設定し、前記変調電流情報を増加方向に変化させたときの前記第１制御信号の出力タイミングにおける前記変調電流値またはその相当値を変調電流指標として求める変調電流指標算出処理と、
前記バイアス電流指標、前記変調電流指標、及び、前記温度情報に基づいて、前記バイアス電流及び前記変調電流の値を求め、前記電流制御信号を生成する電流制御信号生成処理と、を実行することを特徴とする請求項１〜６の何れか１項に記載の光伝送システム。
【請求項８】
光信号を生成する発光素子と、
前記光信号を受け付けて前記光信号の信号強度を示す信号強度情報を含む第１制御信号を生成する光受信装置から、前記第１制御信号を受け付ける信号強度情報取得手段と、
前記発光素子の温度を検出し、前記発光素子の温度を示す温度情報を含む第２制御信号を生成する温度検出手段と、
所定の電流制御信号に基づき、前記発光素子を電流制御して前記光信号の強度を制御する駆動手段と、
前記第１制御信号の前記信号強度情報と前記第２制御信号の前記温度情報に基づいて、前記電流制御信号を生成する制御手段と、を備えることを特徴とする光送信装置。
【請求項９】
請求項８に記載の光送信装置から出力された光信号を受け付け、電気信号に変換する受光手段と、
前記電気信号に基づいて前記光信号の信号強度を検出する信号強度検出手段と、
前記信号強度検出手段が検出した前記光信号の信号強度を示す信号強度情報を含む第１制御信号を生成し、前記光送信装置に出力する制御信号出力手段と、を備えることを特徴とする光受信装置。
【請求項１０】
外部入力された光信号を電気信号に変換する受光手段と、
前記電気信号に基づいて前記光信号の信号強度を検出する信号強度検出手段と、
前記信号強度検出手段が検出した前記光信号の信号強度を示す信号強度情報を含む第１制御信号を生成し出力する制御信号出力手段と、を備えた光受信部と、
光信号を生成する発光素子と、
外部入力された前記第１制御信号を受け付ける信号強度情報取得手段と、
前記発光素子の温度を検出し、前記発光素子の温度を示す温度情報を含む第２制御信号を生成する温度検出手段と、
所定の電流制御信号に基づき、前記発光素子を電流制御して前記光信号の強度を制御する駆動手段と、
前記第１制御信号の前記信号強度情報と前記第２制御信号の前記温度情報に基づいて、前記電流制御信号を生成する制御手段と、を備えた光送信部と、を備えることを特徴とする光送受信装置。
【発明の詳細な説明】
【技術分野】
【０００１】
本発明は、光信号によるデータ通信を行う光伝送システムに関する。
【背景技術】
【０００２】
光伝送用基地局及び光ファイバ等の光媒体を介して情報を伝達する光伝送方式によるデータ通信は、電気伝送方式によるデータ通信の場合と比較して、基地局における信号の劣化が極めて少なく、伝送速度を極めて速くすることが可能であり、更に、伝送容量が大きい。このため、光伝送方式によるデータ通信は、従来、電話通信網やインターネット網等における大陸間長距離データ通信等の用途で用いられている。
【０００３】
更に、近年、一般家屋に設置されるパーソナルコンピュータ（パソコン）やテレビ、携帯電話機等の小型の端末機器において、伝送速度の高速化や伝送容量の大容量化が進んでおり、このような小型の端末機器における光伝送方式によるデータ通信のニーズが高まっている。より詳細には、例えば、パソコンやテレビでのデータ通信、ワンセグ対応機能を備える携帯電話機等では、表示画面上に表示する映像データのデータ容量が飛躍的に増大しており、これに伴って、数Ｇｂｐｓの帯域が必要となってきている。
【０００４】
また、電気伝送方式によるデータ通信では、ＥＭＩ（Ｅｌｅｃｔｒｏ  ｍａｇｎｅｔｉｃ  ｉｎｔｅｒｆｅｒｅｎｃｅ）と呼ばれる輻射ノイズが発生する。特に、携帯電話機等では、機器内における電気伝送方式のデータ通信により発生する輻射ノイズが比較的大きく、パソコンやテレビ等の家電機器等に与える影響が無視できない。このため、特に、携帯電話機等、発生する輻射ノイズの大きさが比較的大きい機器では、輻射ノイズの大きさが比較的小さく、発生頻度が比較的少ない光伝送方式によるデータ通信の導入が求められるようになってきている。
【０００５】
光伝送における伝送品質を維持するための技術としては、例えば、光送信において、冷却加熱素子と感温素子を備えた発光素子（レーザモジュール）を用い、電源投入時や光出力断時には温度条件を一定にする制御を行い、これ以外の場合に光信号の波長を一定にする制御を行う光送受信装置がある（例えば、特許文献１参照）。
【０００６】
また、光伝送における伝送品質を維持するための他の技術としては、例えば、端末側光送受信装置から基地局側光送受信装置への光送信において、受信した光信号を変換した電圧信号の強度に基づいて、基地局側光送受信装置と端末側光送受信装置の間の距離を求め、これに応じて、送信する光信号の強度を調節する端末側光送受信装置がある（例えば、特許文献２参照）。
【０００７】
更に、光伝送における光送受信装置の信頼性を向上させるための技術として、例えば、光出力断時の保持回路からの出力による光送信用発光素子の破壊を防止するため、光送信用発光素子の近傍にモニタ用発光素子を設け、モニタ用発光素子を用いて光送信用発光素子の発光強度（光送信用発光素子の電流値または電圧値）をモニタし、発光強度が所定範囲内となるように、保持回路の出力調整を行う光送受信装置がある（例えば、特許文献３参照）。
【０００８】
ここで、図１３は、従来技術に係る光伝送システムの一概略構成例を示している。ここでは、基地局側光送受信装置１００が、複数の端末側光送受信装置２００と光伝送方式によるデータ通信を可能に構成されている場合について示している。
【０００９】
具体的には、基地局側光送受信装置１００は、端末側光送受信装置２００の光受信装置２１０に対し光信号をダウンストリームを介して出力する光送信装置１１０と、端末側光送受信装置２００の光送信装置２２０から出力された光信号をアップストリームを介して受け付ける光受信装置１２０を備えて構成されている。
【００１０】
光送信装置１１０は、光信号を生成する発光素子１１１と、光信号の信号強度を検出し、信号強度検出用受光素子１１２から出力された電流信号を電圧信号に変換するＴＩＡ（Ｔｒａｎｃｅ  Ｉｍｐｅｄａｎｃｅ  Ａｍｐ）回路及びＴＩＡ回路から出力された電圧信号を増幅するＡＭＰ回路を介して、信号強度の検出結果を出力する信号強度検出用受光素子１１２と、発光素子１１１が光信号を出力するための最小電流を規定する閾値電流ＩＢＩＡＳ及び光信号を変調するための変調電流ＩＭＯＤを制御するドライバ１１４と、閾値電流ＩＢＩＡＳ及び変調電流ＩＭＯＤをドライバ１１４に供給するドライバ制御手段１１５と、信号強度検出用受光素子１１２から信号強度の検出結果を受け付けて、ドライバ制御手段１１５を制御するＡＰＣ（Ａｕｔｏｍａｔｉｃ  Ｐｈａｓｅ  Ｃｏｎｔｒｏｌ）制御手段１１３と、を備えている。尚、発光素子１１１は、ここでは、フォトダイオードを用いて構成されている。
【００１１】
光受信装置１２０は、光信号を電気信号に変換する受光素子１２１と、受光素子１２１からの電気信号（電流信号）を電圧信号に変換するＴＩＡ回路２２２と、ＴＩＡ回路２２２から出力された電圧信号を増幅し外部に出力するＡＭＰ回路２２３と、を備えている。
【００１２】
端末側光送受信装置２００は、基地局側光送受信装置１００の光送信装置１１０から光信号をダウンストリームを介して受け付ける光受信装置２１０と、基地局側光送受信装置１００の光受信装置１２０から出力された光信号をアップストリームを介して受け付ける光送信装置２２０を備えて構成されている。
【００１３】
光受信装置２１０は、光信号を電気信号に変換する受光素子２１１と、受光素子２１１からの電気信号（電流信号）を電圧信号に変換するＴＩＡ回路２１２と、ＴＩＡ回路２１２から出力された電圧信号を増幅するＡＭＰ回路２１３と、ＡＭＰ回路２１３から出力された電圧信号を増幅し外部に出力するＡＭＰ回路２１４と、ＡＭＰ回路２１３から出力された電圧信号に基づいて、基地局側光送受信装置１００との距離を示す距離情報、若しくは、ダウンストリームにおける光減衰量を示す光減衰情報を算出する距離推定手段２１５と、を備えている。
【００１４】
光送信装置２２０は、光信号を生成する発光素子２２１と、発光素子１１１が光信号を出力するための最小電流を規定する閾値電流ＩＢＩＡＳ及び光信号を変調するための変調電流ＩＭＯＤを制御するドライバ２２２と、閾値電流ＩＢＩＡＳ及び変調電流ＩＭＯＤをドライバ１１４に供給するドライバ制御手段２２４と、距離推定手段２１５が算出した距離情報または光減衰情報に基づいてドライバ制御手段１１５を制御するＡＰＣ制御手段２２３と、を備えている。尚、発光素子２２１は、ここでは、フォトダイオードを用いて構成されている。
【００１５】
【特許文献１】特開平１１−１２６９４０号公報
【特許文献２】特開２００５−３１８２６９号公報
【特許文献３】特開２０００−２６９８９６号公報
【発明の開示】
【発明が解決しようとする課題】
【００１６】
上述したように、近年、光伝送方式によるデータ通信は、携帯電話機等の小型端末機器等、用途が拡大しており、伝送品質の向上が求められている。
【００１７】
しかしながら、上記特許文献１〜３に記載の光送受信装置では、光送信装置が、光送信装置から光受信装置への光信号の伝送経路（ダウンストリーム）における伝送品質の劣化に対応することは困難である。
【００１８】
具体的には、特許文献１に記載の光送受信装置は、発光素子の温度条件に基づいて送信する光信号の波長を一定にする制御を行う、即ち、送信側の光送受信装置内での伝送条件のみを考慮して発光素子を制御するものである。従って、特許文献１に記載の光送受信装置は、装置内部の伝送条件における伝送品質の劣化に対応することはできるが、光送信装置と光受信装置の間の伝送経路における伝送品質の劣化に対応することは困難である。
【００１９】
また、特許文献２に記載の光送受信装置は、光受信装置（端末側光送受信装置）が、光送信装置（基地局側光送受信装置）から光受信装置（端末側光送受信装置）への光信号の伝送経路（ダウンストリーム）における伝送品質の劣化に対応するものであり、光送信装置（基地局側光送受信装置）は、ダウンストリームにおける伝送品質の劣化に対応することはできない。
【００２０】
より詳細には、伝送品質の劣化に対しより適切に対応するためには、光送信装置が、光送信装置から光受信装置までの伝送経路（ダウンストリーム）における伝送品質の劣化に基づいて、出力する光信号の信号強度を調節することが望ましい。しかし、特許文献２に記載の光送受信装置では、端末側光送受信装置（光受信装置）が、ダウンストリームにおける伝送品質の劣化に対応して光信号の強度を調整する構成となっている。このため、基地局側光送受信装置（光送信装置）は、ダウンストリーム及びアップストリームの何れの伝送経路についても伝送品質の劣化を検出することができない。従って、仮に、基地局側光送受信装置（光送信装置）に特許文献２の構成、即ち、アップストリームにおける伝送品質の劣化に対応して光信号の強度を調整する構成を構築したとしても、伝送経路における伝送品質の劣化を検出できないため、伝送経路における伝送品質の劣化を考慮した信号強度の調節を行うことは極めて困難である。
【００２１】
即ち、特許文献２に記載の光送受信装置では、端末側光送受信装置（光受信装置）が受け付ける光信号の伝送品質を向上させることができない。このため、特許文献２に記載の光送受信装置では、光送信装置は、発光素子の温度条件やダウンストリームにおける信号劣化等を考慮して、ある程度マージンをとって発光素子を駆動する必要があるという問題があるという問題があった。
【００２２】
また、特許文献３に記載の光送受信装置は、発光素子の破壊を防止するものであり、伝送経路における信号劣化等に対応することは困難である。
【００２３】
従って、伝送経路（ダウンストリーム及びアップストリーム）における伝送品質の劣化に対し、光送信装置側においてより適切に対応することができる光伝送方式によるデータ通信が可能な光伝送システムが望まれている。
【００２４】
本発明は上記の問題に鑑みてなされたものであり、その目的は、光伝送方式によるデータ通信において、伝送経路、特に、ダウンストリームにおける伝送品質の劣化に対し、光送信装置側において、より適切に対応することができる光伝送システムを提供する点にある。また、光伝送方式によるデータ通信において、伝送経路、特に、ダウンストリームにおける伝送品質の劣化に対し、より適切に対応することができる光送信装置を提供する。更に、光伝送方式によるデータ通信において、光送信装置側に対し伝送経路での伝送品質の劣化に対応するための情報を提供する機能を備えた光受信装置を提供する。光伝送方式によるデータ通信において、送信側信号経路での信号劣化等により適切に対応した発光素子の制御が可能な光送受信装置を提供する。
【課題を解決するための手段】
【００２５】
上記目的を達成するための本発明に係る光伝送システムは、光信号を電気信号に変換する受光手段と、前記電気信号に基づいて前記光信号の信号強度を検出する信号強度検出手段と、前記信号強度検出手段が検出した前記光信号の信号強度を示す信号強度情報を含む第１制御信号を生成し出力する制御信号出力手段と、を備えた光受信装置の１または複数と、前記光信号を生成する発光素子と、前記光信号を受け付けた前記光受信装置から前記第１制御信号を受け付ける信号強度情報取得手段と、前記発光素子の温度を検出し、前記発光素子の温度を示す温度情報を含む第２制御信号を生成する温度検出手段と、所定の電流制御信号に基づき、前記発光素子を電流制御して前記光信号の強度を制御する駆動手段と、前記第１制御信号の前記信号強度情報と前記第２制御信号の前記温度情報に基づいて、前記電流制御信号を生成する制御手段と、を備えた光送信装置と、を備えることを第１の特徴とする。
【００２６】
上記特徴の本発明に係る光伝送システムは、前記信号強度検出手段が、前記電気信号の電圧レベルを、前記受光手段が受信可能な前記光信号の信号強度以上の所定の信号強度を示す強度判定値と比較する比較回路を備え、前記制御信号出力手段が、前記比較回路において前記電圧レベルが所定期間以上継続して前記強度判定値を超えたことが検出された場合に加算するカウンタを備え、前記カウンタの値が所定の第１判定値を超えた場合に、前記第１制御信号を出力することを第２の特徴とする。
【００２７】
上記特徴の本発明に係る光伝送システムは、前記光受信装置が、外部入力された前記第１判定値またはその相当値を受け付ける外部入力手段を備え、前記制御信号出力手段が、外部入力された前記第１判定値またはその相当値に基づいて、前記第１判定値を再設定することを第３の特徴とする。
【００２８】
上記第１の特徴の本発明に係る光伝送システムは、前記信号強度検出手段が、前記電気信号の電圧レベルを積分する積分回路を備え、前記制御信号出力手段が、前記積分回路の値が、所定の第２判定値を超えた場合に、前記第１制御信号を出力することを第４の特徴とする。
【００２９】
上記特徴の本発明に係る光伝送システムは、前記光受信装置が、外部入力された前記第２判定値またはその相当値を受け付ける外部入力手段を備え、前記制御信号出力手段が、外部入力された前記第２判定値またはその相当値に基づいて、前記第２判定値を再設定することを第５の特徴とする。
【００３０】
上記何れかの特徴の本発明に係る光伝送システムは、前記制御信号出力手段が、光信号に前記第１制御信号を多重化して、前記光送信装置に出力することを第６の特徴とする。
【００３１】
上記何れかの特徴の本発明に係る光伝送システムは、前記電流制御信号が、前記発光素子が前記光信号を出力するための最小電流を規定する閾値電流の値に基づいて規定されるバイアス電流の値を設定するためのバイアス電流情報と、前記発光素子の光信号を変調する変調電流の値を設定するための変調電流情報を含んで構成され、前記光送信装置の前記制御手段が、前記バイアス電流情報を０に設定し、前記変調電流情報を増加方向に変化させたときの前記第１制御信号の出力タイミングにおける前記変調電流値またはその相当値をバイアス電流指標として求めるバイアス電流指標算出処理と、前記バイアス電流情報を前記バイアス電流指標に基づいて設定し、前記変調電流情報を増加方向に変化させたときの前記第１制御信号の出力タイミングにおける前記変調電流値またはその相当値を変調電流指標として求める変調電流指標算出処理と、前記バイアス電流指標、前記変調電流指標、及び、前記温度情報に基づいて、前記バイアス電流及び前記変調電流の値を求め、前記電流制御信号を生成する電流制御信号生成処理と、を実行することを第７の特徴とする。
【００３２】
上記目的を達成するための本発明に係る光送信装置は、光信号を生成する発光素子と、前記光信号を受け付けて前記光信号の信号強度を示す信号強度情報を含む第１制御信号を生成する光受信装置から、前記第１制御信号を受け付ける信号強度情報取得手段と、前記発光素子の温度を検出し、前記発光素子の温度を示す温度情報を含む第２制御信号を生成する温度検出手段と、所定の電流制御信号に基づき、前記発光素子を電流制御して前記光信号の強度を制御する駆動手段と、前記第１制御信号の前記信号強度情報と前記第２制御信号の前記温度情報に基づいて、前記電流制御信号を生成する制御手段と、を備えることを特徴とする。
【００３３】
上記目的を達成するための本発明に係る光受信装置は、上記特徴の光送信装置から出力された光信号を受け付け、電気信号に変換する受光手段と、前記電気信号に基づいて前記光信号の信号強度を検出する信号強度検出手段と、前記信号強度検出手段が検出した前記光信号の信号強度を示す信号強度情報を含む第１制御信号を生成し、前記光送信装置に出力する制御信号出力手段と、を備えることを特徴とする。
【００３４】
上記目的を達成するための本発明に係る光送受信装置は、外部入力された光信号を電気信号に変換する受光手段と、前記電気信号に基づいて前記光信号の信号強度を検出する信号強度検出手段と、前記信号強度検出手段が検出した前記光信号の信号強度を示す信号強度情報を含む第１制御信号を生成し出力する制御信号出力手段と、を備えた光受信部と、光信号を生成する発光素子と、外部入力された前記第１制御信号を受け付ける信号強度情報取得手段と、前記発光素子の温度を検出し、前記発光素子の温度を示す温度情報を含む第２制御信号を生成する温度検出手段と、所定の電流制御信号に基づき、前記発光素子を電流制御して前記光信号の強度を制御する駆動手段と、前記第１制御信号の前記信号強度情報と前記第２制御信号の前記温度情報に基づいて、前記電流制御信号を生成する制御手段と、を備えた光送信部と、を備えることを特徴とする。
【発明の効果】
【００３５】
上記特徴の光伝送システムによれば、光伝送方式によるデータ通信において、光受信装置が、信号強度検出手段により検出した信号強度を示す信号強度情報を光送信装置に対して出力し、光送信装置が、当該信号強度情報に基づいて発光素子を制御するように構成したので、光送信装置において、光送信装置から光受信装置への伝送経路における伝送品質の劣化を考慮して、光送信装置の発光素子の信号強度を調整することが可能になる。これにより、光送信装置側の対応により、光受信装置が受け付ける光信号の伝送品質を向上させることが可能になる。
【００３６】
また、上記特徴の光伝送システムは、光送信装置が、従来の温度検出手段以外の他の装置を設置する必要がなく、光受信装置が、従来の信号強度検出手段以外の他の装置を設置する必要がないため、部品点数の大幅な増加を招くことがなく、装置の小型化を大きく阻害することがない。従って、上記特徴の光伝送システムは、特に、携帯電話やパソコン、テレビ等の映像機器において、同一機器内でのデータ通信等、比較的近距離の光伝送方式によるデータ通信を行う機器に有用である。
【００３７】
上記特徴の光送受信装置によれば、光伝送方式によるデータ通信において、光受信部が、信号強度検出手段により検出した信号強度を示す信号強度情報を他の外部光送受信装置に対して出力し、光送信部が、外部光送受信装置から出力された信号強度情報に基づいて発光素子を制御するように構成したので、本発明装置は、伝送経路における伝送品質の劣化に適切に対応することが可能になる。これによって、上記特徴の光伝送システムと同様の効果を期待でき、光受信装置が受け付ける光信号の伝送品質を向上させることが可能になる。
【発明を実施するための最良の形態】
【００３８】
以下、本発明に係る光伝送システム（以下、適宜「本発明システム」と略称する）、光送信装置、光受信装置、光送受信装置の実施形態を図面に基づいて説明する。
【００３９】
〈第１実施形態〉
本発明システムの第１実施形態について、図１〜図９を基に説明する。
【００４０】
先ず、本発明システムの構成について、図１〜図８を基に説明する。ここで、図１は、本実施形態の本発明システム１の概略構成例を示している。
【００４１】
図１に示すように、本発明システム１は、光信号を生成し、光伝送経路３１を介して出力する光送信装置１０と、光送信装置１０から出力された光信号を、光伝送経路３１を介して受け付ける光受信装置２０と、を備えて構成されている。尚、本実施形態では、本発明システム１が、小型端末機器の一例としての携帯電話機の内部に構築される場合を想定しており、光受信装置２０及び光送信装置１０は、夫々、異なる半導体チップに構築され、光受信装置２０を備えた半導体チップと光送信装置１０を備えた半導体チップが、同じ基板上に設置されている場合を想定して説明する。
【００４２】
光受信装置２０は、光信号を電気信号に変換する受光素子２１（受光手段に相当）と、受光素子２１から出力された電流信号を電圧信号に変換するＴＩＡ回路２２と、ＴＩＡ回路２２からの出力信号を増幅するＡＭＰ回路２３と、ＡＭＰ回路２３からの出力信号を増幅し外部（同一半導体チップ内の他の回路）に出力するＡＭＰ回路２４と、ＡＭＰ回路２３からの出力信号に基づいて光信号の信号強度を検出する信号強度検出手段２５と、信号強度検出手段２５が検出した光信号の信号強度を示す信号強度情報を含む第１制御信号を生成し出力する受信側ＡＰＣユニット２６（制御信号出力手段を含む）と、を備えて構成されている。尚、本実施形態では、受光素子２１として、フォトダイオードを想定して説明するが、これに限るものではない。
【００４３】
信号強度検出手段２５は、本実施形態では、ＡＭＰ回路２３から出力された電気信号の電圧レベルＶＰＤＩＯを、受光素子２１が受信可能な光信号の信号強度以上の所定の信号強度を示す強度判定値と比較する比較回路を備えて構成されている。
【００４４】
ここで、図２は、光受信装置２０の信号強度検出手段２５の概略構成例を示しており、図３は、信号強度検出手段２５において、ＡＭＰ回路２３から出力された電圧信号の電圧レベルＶＰＤＩＯに対する信号強度の検出結果を示す信号ＳＤＥＴの信号波形を示している。信号強度検出手段２５は、図２に示すように、後述する受信側ＡＰＣユニット２６から強度判定値ＶＬｅｖｅｌを設定するための参照信号ＲＬｅｖｅｌを受け付け、参照信号ＲＬｅｖｅｌをデジタルアナログ変換した強度判定値ＶＬｅｖｅｌを出力するＤＡＣ回路２５１と、光信号の信号強度を示す電圧レベルＶＰＤＩＯと強度判定値ＶＬｅｖｅｌを比較するコンパレータ２５２（比較回路に相当）とを備えて構成されている。コンパレータ２５２は、図３に示すように、光信号の信号強度を示す電圧レベルＶＰＤＩＯが強度判定値ＶＬｅｖｅｌを超えた期間に対応するパルス幅を有する正のパルス信号ＳＤＥＴを出力する。
【００４５】
受信側ＡＰＣユニット２６は、図１に示すように、光信号の信号強度を示す電圧レベルＶＰＤＩＯが強度判定値ＶＬｅｖｅｌを超えた場合に出力されるパルス信号ＳＤＥＴを受け付け、パルス信号ＳＤＥＴの出力回数をカウントするカウンタ２６１を備えて構成されている。更に、受信側ＡＰＣユニット２６は、カウンタ２６１の値が所定の第１判定値を超えた場合に、第１制御信号Ｃ１を出力するように構成されている。
【００４６】
尚、第１判定値は、強度判定値ＶＬｅｖｅｌ等に応じて適切に設定する。強度判定値ＶＬｅｖｅｌは、受光素子２１が受信可能な光信号の信号強度以上に設定されるため、半導体プロセスや光信号の周波数等に応じて適切に設定する。尚、パルス信号ＳＤＥＴの出力回数をカウントする構成にすることにより、特に、光信号の信号強度を示す電圧レベルＶＰＤＩＯのピーク値と強度判定値ＶＬｅｖｅｌの差が小さい場合に、ノイズの影響を軽減できる。
【００４７】
光送信装置１０は、図１に示すように、光信号を生成する発光素子１１と、光信号を受け付けた光受信装置２０から第１制御信号Ｃ１を受け付ける信号強度情報取得手段と、発光素子１１の温度を検出し、発光素子１１の温度を示す温度情報を含む第２制御信号を生成する温度検出手段１３と、所定の電流制御信号（本実施形態では、バイアス電流ＩＢＩＡＳ、変調電流ＩＭＯＤ）に基づき、発光素子１１を電流制御して光信号の強度を制御するドライバ１４（駆動手段に相当）と、第１制御信号Ｃ１の信号強度情報と第２制御信号の温度情報ＲＴＥＭＰに基づいて、電流制御信号を生成する制御手段と、を備えて構成されている。尚、本実施形態では、送信側ＡＰＣユニット１２とドライバ制御手段１５が、信号強度情報取得手段及び制御手段として機能するように構成されている。
【００４８】
発光素子１１は、本実施形態では、ＶＣＳＥＬ（Ｖｅｒｔｉｃａｌ Ｃａｖｉｔｙ Ｓｕｒｆａｃｅ ＥｍｉｔｔｉｎｇＬａｓｅｒ）１１を想定して説明する。尚、本実施形態では、ＶＣＳＥＬ１１を想定しているが、ＬＥＤ（Ｌｉｇｈｔ Ｅｍｉｔｔｉｎｇ Ｄｉｏｄｅ）やＬＤ（Ｌａｓｅｒ Ｄｉｏｄｅ）や他の発光素子１１を用いても良い。
【００４９】
ここで、図４は、ＶＣＳＥＬ１１が光信号を出力するための最小電流を規定する閾値電流ＩＴＨの温度依存特性を示しており、図５は、ＶＣＳＥＬ１１に供給される駆動電流ＩＶＣＳＥＬとＶＣＳＥＬ１１の光信号の出力値ＰＶＣＳＥＬの相関関係を示している。図４から分かるように、閾値電流ＩＴＨは、室温付近（約２７度（摂氏））を下限として、Ｖ字型の温度特性を有している。また、図５（ａ）は、ＶＣＳＥＬ１１のＩＰ変換特性を、図５（ｂ）は、ＶＣＳＥＬ１１に供給される駆動電流ＩＶＣＳＥＬの例を、図５（ｃ）は、図５ｂ）に示す駆動電流ＩＶＣＳＥＬに対応する光信号の出力値ＰＶＣＳＥＬを示している。図５に示すように、駆動電流ＩＶＣＳＥＬが閾値電流ＩＴＨより大きい場合に、光信号の変調が可能になる。
【００５０】
ドライバ１４は、後述するドライバ制御手段１５から、バイアス電流ＩＢＩＡＳと光信号を変調する変調電流ＩＭＯＤを受け付けて、ＶＣＳＥＬ１１に供給する駆動電流ＩＶＣＳＥＬを生成し、ＶＣＳＥＬ１１に対する電流制御を行う。ここで、図６は、ドライバ１４の概略回路構成例を示しており、図７は、図５は、ＶＣＳＥＬ１１に供給される駆動電流ＩＶＣＳＥＬ（バイアス電流ＩＢＩＡＳと変調電流ＩＭＯＤの合計値）とＶＣＳＥＬ１１の光信号の出力値ＰＶＣＳＥＬの相関関係を示している。
【００５１】
より詳細には、ドライバ１４は、図６に示すように、２つのカレントミラー回路を備えて構成されており、バイアス電流ＩＢＩＡＳに応じた電流を常時ＶＣＳＥＬ１１に供給すると共に、送信データを示す信号ＶＤＡＴＡの電圧レベルに基づいて、変調電流ＩＭＯＤに応じた電流のＶＣＳＥＬ１１への供給（オン状態）及び供給停止（オフ状態）を切り替える。このようにして光信号を変調することで、ＶＣＳＥＬ１１が、駆動電流ＩＶＣＳＥＬ（バイアス電流ＩＢＩＡＳと変調電流ＩＭＯＤの合計値）に比例した強度の光信号を出力する。尚、バイアス電流ＩＢＩＡＳは、閾値電流ＩＴＨに応じて設定する。
【００５２】
尚、本実施形態では、ＶＣＳＥＬ１１に供給する駆動電流ＩＶＣＳＥＬを、バイアス電流ＩＢＩＡＳと変調電流ＩＭＯＤに分けて制御している。これは、図５に示すように、仮に、バイアス電流ＩＢＩＡＳを０に設定すると、変調電流ＩＭＯＤの値を駆動電流ＩＶＣＳＥＬの値にする必要があり、変調電流ＩＭＯＤの変動幅が相当大きくなる。この場合には、変調電流ＩＭＯＤが閾値電流ＩＴＨを超えるまでの時間に、パルス幅自体が変調される非線形現象が発生し、受信側でのＢＥＲ（ビットエラーレート）を劣化させる要因となる。従って、バイアス電流ＩＢＩＡＳを閾値電流ＩＴＨや発光素子１１に求められる応答速度等を考慮して設定し、常時ＶＣＳＥＬ１１に供給することにより、ＢＥＲの劣化防止、及び、消費電力の低減を図ることが可能になる。
【００５３】
温度検出手段１３は、ＶＣＳＥＬ１１の周囲の温度を観測する感温素子を備えて構成され、感温素子によって検出された温度を示す温度情報ＲＴＥＭＰを、後述するドライバ制御手段１５に対して出力する。ここで、図８（ａ）は、ＶＣＳＥＬ１１の温度別（低温、室温、高温の場合別）のＩＰ変換特性を、図８（ｂ）は、ＶＣＳＥＬ１１のＩＰ変換係数η（図８（ａ）におけるＩＰ変換特性の近似式の傾き）の温度依存特性を、図８（ｃ）は、閾値電流ＩＴＨの温度依存特性を夫々示している。図８（ａ）から分かるように、ＶＣＳＥＬ１１のＩＰ変換特性は、温度が増加するにつれて傾きが小さくなる。即ち、図８（ｂ）に示すように、ＶＣＳＥＬ１１のＩＰ変換係数ηは、温度が増加するにつれて小さくなる。
【００５４】
送信側ＡＰＣユニット１２は、光受信装置２０から信号強度情報を示す第１制御信号Ｃ１を受け付け、第１制御信号Ｃ１に基づいて、バイアス電流ＩＢＩＡＳの値を設定するためのバイアス電流情報ＲＢＩＡＳと、変調電流ＩＭＯＤの値を設定するための変調電流情報ＲＭＯＤを生成する。
【００５５】
ドライバ制御手段１５は、送信側ＡＰＣユニット１２から、バイアス電流情報ＲＢＩＡＳと変調電流情報ＲＭＯＤを、温度検出手段１３から、温度情報ＲＴＥＭＰを夫々受け付け、電流制御信号として、バイアス電流ＩＢＩＡＳ及び変調電流ＩＭＯＤを生成する。具体的には、バイアス電流ＩＢＩＡＳは、バイアス電流情報ＲＢＩＡＳに、閾値電流ＩＴＨの温度依存特性に対する温度補償量を加えて求める。温度補償量は、図４に示す閾値電流ＩＴＨの温度依存特性の近似式の傾きに基づいて設定する。尚、図４では、閾値電流ＩＴＨが、室温２７［度］を下限値として略Ｖ字型の温度依存特性を有するため、簡単のために、温度が２７［度］以下の場合と２７［度］以上の場合の２つに分けて近似式の傾きを算出する。図４より、閾値電流ＩＴＨの温度依存特性の近似式の傾きは、室温２７［度］以上の場合が０．００９６≒０．０１、室温２７［度］より低い場合が−０．０１０５≒−０．０１となる。以上より、バイアス電流ＩＢＩＡＳは、以下の数１及び数２に示す一次の近似式で求められる。
【００５６】
［数１］
ＩＢＩＡＳ＝０．０１（２７３＋ＲＴＥＭＰ−３００）＋ＲＢＩＡＳ（ＲＴＥＭＰ≧２７）
【００５７】
［数２］
ＩＢＩＡＳ＝−０．０１（２７３＋ＲＴＥＭＰ−３００）＋ＲＢＩＡＳ（ＲＴＥＭＰ＜２７）
【００５８】
尚、温度情報ＲＴＥＭＰは摂氏温度である。また、変調電流ＩＭＯＤについては、図８に基づき、以下の数３から求められる。
【００５９】
［数３］
ＩＭＯＤ＝０．０２（２７３＋ＲＴＥＭＰ−３００）＋ＲＭＯＤ
【００６０】
尚、図８に示すように、ＶＣＳＥＬ１１のＩＰ変換係数η（変換効率）は温度上昇と共に低下するため、傾き０．０２の温度係数で変調電流ＩＭＯＤを増加させることにより、温度依存特性を補償している。
【００６１】
本発明システム１のドライバ制御手段１５は、伝送経路における伝送品質の劣化補償と温度補償の両方を考慮した数１〜数３を用いてバイアス電流ＩＢＩＡＳ及び変調電流ＩＭＯＤを求め、ＶＣＳＥＬ１１の電流制御を行う。これにより、本発明システム１は、従来の光伝送システムにおけるバイアス電流ＩＢＩＡＳ及び変調電流ＩＭＯＤの算出式を変更するのみで、従来の光伝送システムの制御アルゴリズムを利用して構築することが可能になる。従って、伝送経路における伝送品質の劣化補償と温度補償を別個に行う場合には複雑な制御が必要となるが、本発明システム１では、バイアス電流ＩＢＩＡＳ及び変調電流ＩＭＯＤの算出式を変更するだけで良く、複雑な制御等を必要とすることなく、伝送経路における伝送品質の劣化補償と温度補償の両方を実現できる。
【００６２】
尚、本実施形態では、簡単のために、バイアス電流ＩＢＩＡＳと変調電流ＩＭＯＤを求める数１〜数３を一次の近似式としたが、これに限るものではなく、より精密に、２次以上の近似式で求めるように構成しても良い。
【００６３】
以下、送信側ＡＰＣユニット１２及びドライバ制御手段１５におけるバイアス電流ＩＢＩＡＳ及び変調電流ＩＭＯＤの設定方法について、図９を基に説明する。
【００６４】
先ず、光送信装置１０に対し、クロック信号を送信信号ＶＤＡＴＡとして入力し、バイアス電流情報ＲＢＩＡＳを求めるための前処理として、光送信装置１０の送信側ＡＰＣユニット１２が、ＡＰＣ通信経路３２を介して、光受信装置２０の受信側ＡＰＣユニット２６に対し、カウンタ２６１を初期化するための初期化信号を出力する。続いて、送信側ＡＰＣユニット１２は、バイアス電流情報ＲＢＩＡＳ及び変調電流情報ＲＭＯＤを０に設定する。更に、バイアス電流情報ＲＢＩＡＳを求めるために、光送信装置１０の送信側ＡＰＣユニット１２が、変調電流情報ＲＭＯＤを増加方向に変化させ、第１制御信号Ｃ１の出力タイミングにおける変調電流情報ＲＭＯＤの値（変調電流ＩＭＯＤの相当値）をバイアス電流指標として求める（バイアス電流指標算出処理に相当）。
【００６５】
より詳細には、送信側ＡＰＣユニット１２は、時間Ｔ０でバイアス電流情報ＲＢＩＡＳ及び変調電流情報ＲＭＯＤを０に設定し、一定期間毎に、変調電流情報ＲＭＯＤを１ずつ増加させる。このとき、変調電流情報ＲＭＯＤを１ずつ増加させるに伴って、図３に示すように、光受信装置２０の信号強度検出手段２５が受け付ける光信号の信号強度ＶＰＤＩＯの振幅が次第に大きくなる。光受信装置２０が検出する光信号の信号強度ＶＰＤＩＯの振幅が大きくなり、ピーク値が強度判定値ＶＬｅｖｅｌを超えるようになると、信号強度検出手段２５からパルス信号ＳＤＥＴが出力される。受信側ＡＰＣユニット２６は、パルス信号ＳＤＥＴのカウント値が所定の第１判定値をこえると、制御信号Ｃ１を出力する。本実施形態では、図９に示すように、時間Ｔ１において、光受信装置２０から制御信号Ｃ１が出力される。光送信装置１０の送信側ＡＰＣユニット１２は、光受信装置２０から制御信号Ｃ１が出力されると、このときの変調電流情報ＲＭＯＤの値“０ｘ０ａ”をバイアス電流指標として設定する。これにより、閾値電流ＩＴＨに基づいて適切にバイアス電流指標を求めることができる。
【００６６】
続いて、変調電流情報ＲＭＯＤを求めるための前処理として、図９に示すように、光送信装置１０の送信側ＡＰＣユニット１２が、ＡＰＣ通信経路３２を介して、光受信装置２０の受信側ＡＰＣユニット２６に対し、カウンタ２６１を初期化するための初期化信号を出力する。引き続き、光送信装置１０の送信側ＡＰＣユニット１２が、バイアス電流情報ＲＢＩＡＳをバイアス電流指標に基づいて設定し、変調電流情報ＲＭＯＤを０に設定する。更に、変調電流情報ＲＭＯＤを求めるために、光送信装置１０の送信側ＡＰＣユニット１２が、変調電流情報ＲＭＯＤを増加方向に変化させ、第１制御信号Ｃ１の出力タイミングにおける変調電流情報ＲＭＯＤの値（変調電流ＩＭＯＤの相当値）を変調電流指標として求める（変調電流指標算出処理に相当）。
【００６７】
より詳細には、図９に示すように、光送信装置１０の送信側ＡＰＣユニット１２が、時間Ｔ２でバイアス電流情報ＲＢＩＡＳをバイアス電流指標０ｘ０ａに設定し、変調電流情報ＲＭＯＤを０に設定する。そして、一定期間毎に、変調電流情報ＲＭＯＤを１ずつ増加させる。これに伴って、上述したように、光受信装置２０が検出する光信号の信号強度ＶＰＤＩＯの振幅が大きくなり、ピーク値が強度判定値ＶＬｅｖｅｌを超えるようになると、光受信装置２０の信号強度検出手段２５からパルス信号ＳＤＥＴが出力される。光受信装置２０の受信側ＡＰＣユニット２６は、パルス信号ＳＤＥＴのカウント値が所定の第１判定値をこえると、制御信号Ｃ１を出力する。本実施形態では、図９に示すように、時間Ｔ３において、光受信装置２０から制御信号Ｃ１が出力される。光送信装置１０の送信側ＡＰＣユニット１２は、時間Ｔ３において、光受信装置２０から制御信号Ｃ１が出力されると、このときの変調電流情報ＲＭＯＤの値“０ｘ１ｄ”を変調電流指標とする。これにより、ＢＥＲを十分に満たす変調電流情報ＲＭＯＤを求めることができる。
【００６８】
引き続き、送信側ＡＰＣユニット１２は、バイアス電流指標、変調電流指標、及び、温度情報ＲＴＥＭＰに基づいて、バイアス電流ＩＢＩＡＳ及び変調電流ＩＭＯＤの値を求め、電流制御信号を生成する（電流制御信号生成処理）。ここでは、バイアス電流情報ＲＢＩＡＳの値を“０ｘ０ａ”に、変調電流情報ＲＭＯＤの値を“０ｘ１ｄ”に設定し、これにより、バイアス電流ＩＢＩＡＳ及び変調電流ＩＭＯＤの値を設定する。
【００６９】
〈別実施形態〉
〈１〉上記実施形態では、本発明システム１が携帯電話機に搭載される場合を想定して説明したが、これに限るものではない。パソコンやテレビ等の小型端末機器等、他の機器に搭載することも可能である。また、上記実施形態では、光送信装置１０に対し１つの光受信装置２０が設置されている場合を想定して説明したが、光送信装置１０が、複数の光受信装置２０と光伝送方式によるデータ通信を可能に構成されていても良い。
【００７０】
更に、上記実施形態では、本発明システム１を構成する光受信装置２０及び光送信装置１０が、夫々、異なる半導体チップに構築されている場合について説明したが、図１０に示すように、同一半導体チップ内に、光受信装置２０（光受信部２０’）及び光送信装置１０（光送信部１０’）の両方が構築されていても良い。尚、光受信部２０’の構成は上記実施形態における光受信装置２０と同じであり、光送信部１０’の構成は上記実施形態における光送信装置１０と同じである。
【００７１】
〈２〉上記実施形態では、光受信装置２０が、第１制御信号Ｃ１をＡＰＣ通信により光送信装置１０に出力するように構成したが、これに限るものではない。例えば、図１１に示すように、同一半導体チップ内に、光受信部２０’（光受信装置２０）と光送信部１０'（光送信装置１０）が構築されている光送受信装置１Ａの場合は、光送受信装置１Ａの受信側ＡＰＣユニット２６が、光送受信装置１Ａの光送信部１０に第１制御信号Ｃ１を出力し、光送受信装置１Ａの送信部１０が光信号に制御信号Ｃ１を多重化して光送受信装置１Ｂに出力するように構成しても良い。このように構成すれば、装置構成を小さく押さえることを期待できる。また、別途設けた他の通信手段を用いても良い。
【００７２】
〈３〉上記実施形態において、第１制御信号Ｃ１の出力タイミングを規定するカウンタ２６１の値（第１判定値）を、外部入力により再設定可能に構成しても良い。具体的には、例えば、図１２に示すように、光受信装置２０に、外部入力された第１判定値またはその相当値を受け付ける外部入力手段２７を設け、受信側ＡＰＣユニット２６を、外部入力された第１判定値またはその相当値に基づいて、第１判定値を再設定するように構成する。
【００７３】
〈４〉上記実施形態では、光受信装置２０の受信側ＡＰＣユニット２６が、信号ＳＤＥＴの出力回数をカウントするように構成されている場合について説明したが、これに限るものではない。
【００７４】
例えば、受信側ＡＰＣユニット２６を、カウンタ２６１ではなく、電気信号の電圧レベルを積分する積分回路を用いて構成しても良い。この場合には、受信側ＡＰＣユニット２６を、積分回路の値が所定の第２判定値を超えた場合に、第１制御信号Ｃ１を出力するように構成する。尚、受信側ＡＰＣユニット２６を積分回路を用いて構成した場合も、カウンタ２６１を備えて構成した場合と同様に、特に、電圧信号ＶＩＮの電圧レベル（ピーク値）と参照信号ＶＬｅｖｅｌの電圧レベルの差が小さい場合に、ノイズの影響を軽減できる。
【００７５】
尚、この場合には、第２制御信号の出力タイミングを規定する積分回路の値（第２判定値）を、外部入力により再設定可能に構成しても良い。具体的には、例えば、図１２に示す光受信装置２０の外部入力手段２７を、外部入力された第２判定値またはその相当値を受け付けるように構成し、受信側ＡＰＣユニット２６を、外部入力された第２判定値またはその相当値に基づいて、第２判定値を再設定するように構成する。
【図面の簡単な説明】
【００７６】
【図１】本発明に係る光伝送システムの概略構成例を示す概略ブロック図
【図２】本発明に係る光伝送システムを構成する光受信装置の信号強度検出手段の概略構成例を示す概略ブロック図
【図３】本発明に係る光伝送システムを構成する光受信装置の信号強度検出手段の動作例を説明する概略波形図
【図４】本発明に係る光伝送システムを構成する光送信装置の発光素子の温度特性を示す概略部分波形図
【図５】本発明に係る光伝送システムを構成する光送信装置の発光素子の電流特性を示す概略部分波形図
【図６】本発明に係る光伝送システムを構成する光送信装置のドライバの概略構成例を示す概略ブロック図
【図７】本発明に係る光伝送システムを構成する光送信装置の発光素子の電流特性を示す概略部分波形図
【図８】本発明に係る光伝送システムを構成する光送信装置の発光素子の温度特性を示す概略部分波形図
【図９】本発明に係る光伝送システムの初期設定動作を示す概略部分波形図
【図１０】本発明に係る光伝送システムの別実施形態の概略構成例を示す概略ブロック図
【図１１】本発明に係る光伝送システムの別実施形態の概略構成例を示す概略ブロック図
【図１２】本発明に係る光伝送システムの別実施形態の概略構成例を示す概略ブロック図
【図１３】従来技術に係る光伝送システムの概略構成例を示す概略ブロック図
【符号の説明】
【００７７】
１      本発明に係る光伝送システム
１Ａ    本発明に係る光送受信装置
１Ｂ    本発明に係る光送受信装置
１０    本発明に係る光送信装置
１０’  光送信部
１１    発光素子
１２    送信側ＡＰＣユニット
１３    温度検出手段
１４    ドライバ（駆動手段）
１５    ドライバ制御手段
２０    本発明に係る光受信装置
２０’  光受信部
２１    受光素子（受光手段）
２２    ＴＩＡ回路
２３    ＡＭＰ回路
２４    ＡＭＰ回路
２５    信号強度検出手段
２６    受信側ＡＰＣユニット
２７    外部入力手段
３１    光伝送経路
３１’  光伝送経路
３２    ＡＰＣ通信経路
３２’  ＡＰＣ通信経路
１００  基地局側光送受信装置
１１０  光送信装置
１１１  発光素子
１１２  信号強度検出用受光素子
１１３  ＡＰＣ制御手段
１１４  ドライバ
１１５  ドライバ制御手段
１２０  光受信装置
１２１  受光素子
１２２  ＴＩＡ回路
１２３  ＡＭＰ回路
２００  端末側光送受信装置
２１０  光受信装置
２１１  受光素子
２１２  ＴＩＡ回路
２１３  ＡＭＰ回路
２１４  ＡＭＰ回路
２１５  距離推定手段
２２０  光送信装置
２２１  発光素子
２２２  ドライバ
２２３  ＡＰＣ制御手段
２２４  ドライバ制御手段
２５１  ＤＡＣ回路
２５２  コンパレータ（比較回路）
２６１  カウンタ
３０１  ダウンストリーム
３０２  アップストリーム
【図１】
2009141448.tif 000003
【図２】
2009141448.tif 000004
【図３】
2009141448.tif 000005
【図４】
2009141448.tif 000006
【図５】
2009141448.tif 000007
【図６】
2009141448.tif 000008
【図７】
2009141448.tif 000009
【図８】
2009141448.tif 000010
【図９】
2009141448.tif 000011
【図１０】
2009141448.tif 000012
【図１１】
2009141448.tif 000013
【図１２】
2009141448.tif 000014
【図１３】
2009141448.tif 000015